(57)【要約】      （修正有）【課題】室内で騷音の発生を抑制し、電力等のエネルギー消費を基本的に抑制することのできる新規かつ改良された乗馬用運動器具を提供する。【解決手段】乗馬用運動器具は、鞍１００を支持する鞍置き台１３と；回転可能に連結される作動フレーム２１と；一対の作動ロッド２３と；鞍置き台に連結される昇降ロッド１５と；鞍置き台で回動可能に取り付けられる前後ロッドと；回動可能に連結される垂直バーと；作動フレームの後端で回動するように連結される揺動バーと；揺動バーの下端部とリンクにより連結されて揺動バーの昇降により回転するフライホイールと；回動フレームと；回動フレームの上部面に安着するメインスプリング３１と；ウォームとウォームギアが内蔵されているギアボックスと；本体フレームの外部に取り付けられてギアボックスのウォームを回転させるハンドルなどから構成される。【選択図】図１
2016016327.tif 000002
【特許請求の範囲】
【請求項１】
箱形状の本体フレームと；
前記本体フレームの中央上部から上向きに一定距離離隔するように位置して鞍を支持する鞍置き台と；
前記本体フレームの上面に対向して取り付けられる一対の上部支持ブラケットと；
前記上部支持ブラケットに連結される軸と；
前記軸に一端部が回転可能に連結される作動フレームと；
一端部が前記作動フレームの端部に回動可能に連結され、他端部が前記鞍置き台の後方両側面部に回転可能に取り付けられる一対の作動ロッドと；
前記本体フレームの下部に取り付けられる下部支持ブラケットと；
下部支持ブラケットに対し回動可能な連結バーと；
一端が前記連結バーに連結されるコイルスプリングと；
“Ｔ”字形状であり、一端が前記下部支持ブラケットに連結されるティーバーと；
一端が前記ティーバーに連結され、他端が前記鞍置き台に連結される昇降ロッドと；
取っ手と；
一端が前記取っ手の下部に取り付けられ、前記鞍置き台に回動可能に取り付けられる前後ロッドと；
一端が前記取っ手の下部で回動し、他端が前記鞍置き台に回動可能に取り付けられる連動ロッドと；
一端が前記鞍置き台の前方において回動可能であり、前記前後ロッドと連動するように連結される第１バーと；
一端が前記鞍置き台の後方において回動可能に取り付けられる第２バーと；
一端が前記第１バーの下端部に回動可能に連結される第１ロッドと；
前記第１ロッドに回動可能に連結される第２ロッドと；
前記第２ロッドに回動可能に連結される第３ロッドと；
上端部が前記第２ロッドと前記第３ロッドとの連結部位に回動可能に連結される垂直バーと；
前記作動フレームの後端に回動可能に連結される揺動バーと；
前記揺動バーの下端部とクランクを介して連結されて前記揺動バーの昇降により回転する第２フライホイールと；
前記第２フライホイールとベルトにより連動する第１フライホイールと；
前記垂直バーの下端部に回動可能に取り付けられる下部バーと；
一端が前記下部支持ブラケットに対し回動可能に、かつ他端が自由端をなすように取り付けられる回動フレームと；
一端が前記作動フレームに固定され、他端が前記回動フレームの上部面に安着するメインスプリングと；
前記本体フレームの内部空間に取り付けられ、内部にウォームおよびウォームギアが内蔵されるギアボックスと；
前記本体フレームの外部に取り付けられて前記ウォームを回転させるハンドルと；
一端が前記ウォームギアと連結され、他端が前記回動フレームに取り付けられて前記ハンドルの作動により回動する回転ロッドと、を備えることを特徴とする、乗馬用運動器具。
【請求項２】
一端が前記回動フレームに固定され、他端が前記本体フレームの外部に突出するように取り付けられており、前記回動フレームの昇降によって前記本体フレームの外部に突出した部分が昇降する指示バーがさらに取り付けられることを特徴とする、請求項１に記載の乗馬用運動器具。
【請求項３】
さらに、足置き台が前記鞍の側方側に配置されるように取り付けられることを特徴とする、請求項１または２に記載の乗馬用運動器具。
【請求項４】
前記足置き台は、下方に傾斜して形成される傾斜フレーム；及び前記傾斜フレームに互いに一定距離離隔して取り付けられる複数の支えバーから構成されることを特徴とする、請求項３に記載の乗馬用運動器具。
【請求項５】
複数の前記支えバーのうち少なくとも１つ以上は、ヒンジにより折畳可能に構成されていることを特徴とする、請求項４に記載の乗馬用運動器具。
【請求項６】
前記連結バーは、前記ティーバーと連動することを特徴とする、請求項１〜５のいずれか一項に記載の乗馬用運動器具。
【請求項７】
前記本体フレームの下部に取り付けられるモータと、当該モータの軸と連結され、かつ前記第１フライホイールを回転させるために前記第１フライホイールと連結される電動ベルトと、をさらに含んでなることを特徴とする、請求項１〜６のいずれか一項に記載の乗馬用運動器具。
【請求項８】
本体フレームと；
鞍を支持し、前記本体フレームに対して昇降可能に構成された鞍置き台と；
前記鞍置き台の昇降と連動して回転するフライホイールと；
前記鞍置き台の昇降運動の力を受けて弾性変形し、弾性変形において生じた弾性力により前記鞍置き台の昇降速度を調節するメインスプリングと；
前記メインスプリングの前記弾性力をユーザの体重に応じて調節可能に構成された弾性力調節機構と；を備える、乗馬用運動器具。
【発明の詳細な説明】
【技術分野】
【０００１】
本発明は乗馬用運動器具に関する。
【背景技術】
【０００２】
最近、食生活の急速な西欧化と運動の不足によって子供から成年に至るまで男女を問わず肥満人口が急増している趨勢がある。このような肥満人口の急増は国家的にも、社会的及び個人的な面に至るまで莫大な悪影響を及ぼしており、１つの社会問題にまで台頭している。このような実状に至って、肥満を解消するための、肥満者らが最も簡単に求める方法の１つが運動である。
【０００３】
特に、肥満者は、肥満を引き起こす体内脂肪を分解するために選択される運動方法の１つとしての、別途の運動器具を利用せず歩く方法と、ランニングマシンなどの運動器具を用いる方法とにより肥満を解消するために努力している。
【０００４】
しかしながら、このような従来の運動方法は運動器具を利用するか否かに関わらず、単調で、かつ退屈で、肥満者らが簡単にあきらめる場合が多く、肥満の解消の大きな助けとはならなかった。
【０００５】
ところで、乗馬とは、生命のある馬と一体にならなければならない特殊な性格を有する運動であって、身体を鍛えて、騎士道精神を涵養して浩然の気を養うスポーツであり、正しい身体発達を助ける全身運動である。また、乗馬により大胆さと健全な思考力を養うことができる。
【０００６】
また、乗馬は老若男女誰でも楽しむことができる全身運動であって、このような乗馬は他の運動とは異なり、腰をまっすぐに伸ばして行う運動であって、姿勢矯正の助けとなる。また揺れている馬の上に居ると腸機能強化にも良く、特に女性や学生の便秘症、男性の前立腺疾患などに効果があり、肺活量の向上と下腿や太ももなどの下半身強化の助けにもなる。
【０００７】
したがって、乗馬をすれば上体が正しく矯正され、腰が柔軟になり、精神集中力と身体のリズム感を養うことができ、肺活量が増えて、骨盤が丈夫になると共に、胆力を養うことができ、身体の各部分の平衡感覚と柔軟性などが養われて正しい身体発達が助けられる。
【０００８】
このように、乗馬は全身運動に卓越な効果を得ることができると知られているが、多くの人は経済的能力や場所、時間などの条件が良好でないため、実際に乗馬を楽しめないのが現実である。
【０００９】
一方、上述したような理由により、室内のような狭い空間でも乗馬を楽しむことができるようにした乗馬機構がいくつか提示されている（例えば特許文献１、２）。
【先行技術文献】
【特許文献】
【００１０】
【特許文献１】韓国特許２０−２００８−０００３７３６号公報
【特許文献２】韓国登録特許１０−１３６５６１４９号公報
【発明の概要】
【発明が解決しようとする課題】
【００１１】
しかしながら、従来に提示された乗馬機構は主にモータにより駆動されるので、室内で騷音が発生し、また電力等のエネルギー消費が発生するという問題があった。
【００１２】
また、従来技術に係る乗馬機構は、過体重の成人や低体重の青少年に対応することができない問題があった。
【００１３】
そこで、本発明は、上記問題に鑑みてなされたものであり、本発明の目的とするところは、室内で騷音の発生を抑制し、電力等のエネルギー消費を基本的に抑制することができ、さらにユーザの体重等の身体的特徴に対応することのできる、新規かつ改良された乗馬用運動器具を提供することにある。
【課題を解決するための手段】
【００１４】
上記課題を解決するために、本発明のある観点によれば、
箱形状の本体フレームと；
前記本体フレームの中央上部から上向きに一定距離に離隔するように位置して、鞍を支持する鞍置き台と；
前記本体フレームの上面に対向して取り付けられる一対の上部支持ブラケットと；
前記上部支持ブラケットに連結される軸と；
前記軸に一端部が回転可能に連結される作動フレームと；
一端部が前記作動フレームの端部に回動可能に連結され、他端部が前記鞍置き台の後方両側面部に回転可能に取り付けられる一対の作動ロッドと；
前記本体フレームの下部に取り付けられる下部支持ブラケットと；
下部支持ブラケットに対し回動可能な連結バーと；
一端が前記連結バーに連結されるコイルスプリングと；
“Ｔ”字形状であり、一端が前記下部支持ブラケットに連結されるティーバーと；
一端が前記ティーバーに連結され、他端が前記鞍置き台に連結される昇降ロッドと；
取っ手と；
一端が前記取っ手の下部に取り付けられ、前記鞍置き台に回動可能に取り付けられる前後ロッドと；
一端が前記取っ手の下部で回動し、他端が前記鞍置き台に回動可能に取り付けられる連動ロッドと；
一端が前記鞍置き台の前方において回動可能であり、前記前後ロッドと連動するように連結される第１バーと；
一端が前記鞍置き台の後方において回動可能に取り付けられる第２バーと；
一端が前記第１バーの下端部に回動可能に連結される第１ロッドと；
前記第１ロッドに回動可能に連結される第２ロッドと；
前記第２ロッドに回動可能に連結される第３ロッドと；
上端部が前記第２ロッドと前記第３ロッドとの連結部位に回動可能に連結される垂直バーと；
前記作動フレームの後端に回動可能に連結される揺動バーと；
前記揺動バーの下端部とリンクにより連結されて前記揺動バーの昇降により回転する第２フライホイールと；
前記第２フライホイールとベルトにより連動する第１フライホイールと；
前記垂直バーの下端部に回動可能に取り付けられる下部バーと；
一端が前記下部支持ブラケットに対し回動可能に、かつ他端が自由端をなすように取り付けられる回動フレームと；
一端が前記作動フレームに固定され、他端が前記回動フレームの上部面に安着するメインスプリングと；
前記本体フレームの内部空間に取り付けられ、内部にウォームおよびウォームギアが内蔵されるギアボックスと；
前記本体フレームの外部に取り付けられて前記ウォームを回転させるハンドルと；
一端が前記ウォームギアと連結され、他端が前記回動フレームに取り付けられて前記ハンドルの作動により回動する回転ロッドと、を備えることを特徴とする乗馬用運動器具が提供される。
【００１５】
ここで、乗馬用運動器具は、一端が前記回動フレームに固定され、他端が前記本体フレームの外部に突出するように取り付けられており、前記回動フレームの昇降によって前記本体フレームの外部に突出した部分が昇降される指示バーがさらに取り付けられていてもよい。
【００１６】
また、足置き台がさらに前記鞍の側方側に配置されるように取り付けられていてもよい。
【００１７】
また、前記足置き台は、下方に傾斜して形成される傾斜フレーム；及び前記傾斜フレームに一定距離離隔して取り付けられる複数の支えバーから構成されていてもよい。
【００１８】
また、複数の前記支えバーのうち、少なくとも１つ以上はヒンジにより折畳できる構成であってもよい。
【００１９】
また、前記連結バーは前記ティーバーと連動してもよい。
【００２０】
また、乗馬用運動器具は、前記本体フレームの下部に取り付けられるモータと、当該モータの軸と連結され、かつ前記第１フライホイールを回転させるために前記第１フライホイールと連結される電動ベルトと、をさらに含んでいてもよい。
【００２１】
また、上記課題を解決するために、本発明の別の観点によれば、本体フレームと；
鞍を支持し、前記本体フレームに対して昇降可能に構成された鞍置き台と；
前記鞍置き台の昇降と連動して回転するフライホイールと；
前記鞍置き台の昇降運動の力を受けて弾性変形し、弾性変形において生じた弾性力により前記鞍置き台の昇降速度を調節するメインスプリングと；
前記メインスプリングの前記弾性力をユーザの体重に応じて調節可能に構成された弾性力調節機構と；を備える、乗馬用運動器具が提供される。
【発明の効果】
【００２２】
以上説明したように本発明によれば、室内で騷音の発生を抑制し、また電力等のエネルギー消費を基本的に抑制することができ、さらにユーザの体重等の身体的特徴に対応することのできる新規かつ改良された乗馬用運動器具を提供することができる。
【００２３】
特に、本発明に係る乗馬用運動器具は、モータの構成を備えない場合、フライホイールに格納されるエネルギーにより外部からの動力の供給なしに駆動される。したがって、乗馬用運動器具使用時における室内でのモータ及び動力装置による騷音を抑制し、またエネルギー消費を防止することができる。また、ユーザは、特に前記ハンドル等を備えた弾性力調節機構を用いてユーザの体重に合うように乗馬用運動器具を調整することができ、また、一実施態様においては、当該ユーザの身長に適切に対応した足置き台を使用することができる。
【図面の簡単な説明】
【００２４】
【図１】本発明の一実施形態に係る乗馬用運動器具の要部斜視図である。
【図２】図１に図示された乗馬用運動器具を後方から眺めた要部斜視図である。
【図３】図１に示される乗馬用運動器具の主要部分を図示した要部斜視図である。
【図４】図３に示される主要部分を後方から眺めた図である。
【図５】図３に示される主要部分を後方から眺めた図である。
【図６】図１に示される乗馬用運動器具が備えるメインスプリングとコイルスプリングを説明するための図である。
【図７】図１に示される乗馬用運動器具が備えるメインスプリングとコイルスプリングを説明するための図である。
【図８】図１に示される乗馬用運動器具の部分構成側面図である。
【図９】図１に示される乗馬用運動器具の要部構成側面図である。
【図１０】図１に示される乗馬用運動器具の要部構成側面図である。
【図１１】図１に示される乗馬用運動器具の要部構成背面図である。
【図１２】図１に示される乗馬用運動器具の体重に応じた調整方法を説明するための図である。
【図１３】図１に示される乗馬用運動器具が備えるハンドルと指示バーを説明するための図である。
【図１４】図１に示される乗馬用運動器具が備える足置き台を説明するための図である。
【図１５】本発明の他の実施形態に係る乗馬用運動器具を示す図である。
【図１６】本発明の一実施形態に係る乗馬用運動器具を示す図である。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
図１は本発明の一実施形態に係る乗馬用運動器具の要部斜視図であり、図２は乗馬用運動器具を後方から眺めた要部斜視図である。
【００２７】
図１、２に図示されるように、図面符号１０として図示した本実施形態に係る乗馬用運動器具には、箱形状の本体フレーム１１が備えられ、本体フレーム１１の中央上部から上向きに一定距離離隔するように位置して鞍１００を支持する鞍置き台１３が取り付けられている。鞍置き台１３は、後述する作動ロッド２３および昇降ロッド１５により支持されており、本体フレーム１１に対して昇降可能に構成されている。
【００２８】
図３に示すように、本体フレーム１１の上面には、対向して取り付けられる一対の上部支持ブラケット１７が形成されており、一対の上部支持ブラケット１７には軸１９が各々取り付けられている。
【００２９】
また、中央部位、すなわち一対の軸１９の間には、中央部位で回動可能であり、一端が軸１９に回転可能に連結される作動フレーム２１が取り付けられている（図６参照）。
【００３０】
そして、乗馬用運動器具１０には、一端部が作動フレーム２１の端部に回動可能に連結され、他端部が鞍置き台１３の後方両側面部に回転可能に取り付けられた一対の作動ロッド２３が取り付けられている（図３、図５参照）。
【００３１】
また、本体フレーム１１の下部に下部支持ブラケット２５が取り付けられている。そして、図６及び図７に示すように、下部支持ブラケット２５には回動可能な連結バー５５が取り付けられる。また、コイルスプリング２７は、連結バー５５に連結されるとともに、メインスプリング３１に連結されたロッド状部材３２に安着している。
【００３２】
また、下部支持ブラケット２５には“Ｔ”字形状のティーバー７７が取り付けられ、ティーバー７７には図９に示すように、昇降ロッド１５が連結されている。
【００３３】
ティーバー７７は連結バー５５と連動しており（図６参照）、ティーバー７７が下部支持ブラケット２５で回動すると、連結バー５５も連動して回動する。したがって、コイルスプリング２７の弾性力は、連結バー５５を介してティーバー７７および昇降ロッド１５の動作に影響を与える。昇降ロッド１５の一端はティーバー７７に連結され、他端は鞍置き台１３に連結されている（図５参照）。
【００３４】
図２及び図３に示すように、乗馬用運動器具１０には、一端が取っ手２００の下部に取り付けられ、鞍置き台１３に対し回動可能な前後ロッド５１が取り付けられており、さらに、連動ロッド５２が、一端が取っ手２００の下部において回動することができ、他端が鞍置き台１３に回動するように取り付けられている。
【００３５】
図９及び図１０に示すように、乗馬用運動器具１０は、一端が鞍置き台１３の前方において回動可能であり、前後ロッド５１と連動するように連結される第１バー９１を有する。また、乗馬用運動器具１０には、一端が鞍置き台１３の後方において回動可能に取り付けられた第２バー９２が取り付けられている。
【００３６】
そして、乗馬用運動器具１０には、一端が第１バー９１の下端部に回動可能に連結される第１ロッド６１、第１ロッド６１に回動可能に連結される第２ロッド６２、及び第２ロッド６２に回動可能に連結される第３ロッド６３が各々取り付けられている。また、乗馬用運動器具１０には、第２ロッド６２および第３ロッド６３の連結部位に回動可能に連結される垂直バー８３が備えられている。そして、下部バー８０は、垂直バー８３の下端部に回動可能に取り付けられている（図９及び図１０参照）。
【００３７】
図９に示すように、揺動バー７１は、作動フレーム２１の後端に回動可能に連結されており、第２フライホイール９０ｂは、揺動バー７１の下端部とクランクを介して連結されて揺動バー７１の昇降により回転するように構成されており、第１フライホイール９０ａは、第２フライホイール９０ｂとベルトにより連動するように取り付けられている。そして、後に詳述するように第２フライホイール９０ｂは、鞍置き台１３が昇降すると連動して回転するように構成されている。
【００３８】
そして、図１０には回動フレーム２９が図示されている。回動フレーム２９の一端は下部支持ブラケット２５に対し回動可能であり、他端は自由端である。
【００３９】
図７に示すように、回動フレーム２９の上部面にはメインスプリング３１が安着している。これにより、メインスプリング３１は作動フレーム２１を支持する。そして、メインスプリング３１は、作動フレーム２１、作動ロッド２３および昇降ロッド１５を介して、鞍置き台１３の昇降運動の力を受けることにより、鞍置き台１３の昇降と連動して弾性変形する。この弾性変形によって発生したメインスプリング３１の弾性力は、作動フレーム２１、作動ロッド２３および昇降ロッド１５を介して、鞍置き台１３に作用し、鞍置き台１３の昇降速度を調節する。
【００４０】
図４及び図５にはギアボックス３５及びハンドル３７が図示されている。ギアボックス３５は本体フレーム１１の内部空間の後方に取り付けられ、内部にはウォーム（図示せず）とウォームギア（図示せず）が内蔵されている。ウォームとウォームギアは回転力を低減させるための構成であるが、これに限定されるものでなく、他の機械要素を使用することもできる。そして、ハンドル３７は、本体フレーム１１の外部に取り付けられており、ギアボックス３５のウォームを回転させることができる。
【００４１】
そして、図１２に示すように、ギアボックス３５の内部のウォームギアにはクランク３６が連結され、クランク３６は、回転ロッド３３を介して回動フレーム２９と連動する。したがって、ユーザがハンドル３７を操作してメインスプリング３１の下端部を昇降させることが可能である。ハンドル３７は、図４及び図５に示すように、本体フレーム１１の外部に取り付けられており、ユーザが容易に操作することが可能なように構成されている。
【００４２】
このようなギアボックス３５およびハンドル３７を用いてメインスプリング３１を昇降させることにより、メインスプリング３１において生じる弾性力を変化させることができる。これにより、上記の構成は、メインスプリング３１の弾性力をユーザの体重に応じて調節することが可能である。したがって、以上の回動フレーム２９、ギアボックス３５およびハンドル３７は、メインスプリング３１の弾性力を調節する弾性力調節機構を構成している。
【００４３】
また、図４及び図１２に示すように、指示バー３９は、一端が回動フレーム２９に固定され、他端が本体フレーム１１の外部に突出するように取り付けられており、回動フレーム２９の昇降によって本体フレーム１１の外部に突出した部分が昇降するように取り付けられる。
【００４４】
そして、図１及び図１１に示すように、鞍１００の側方側に形成されるカバーのフレームには足置き台４１が取り付けられる。図１４に示すように、足置き台４１は、下部に傾斜して形成される傾斜フレーム４３と、傾斜フレーム４３に互いに一定距離離隔して取り付けられる複数の支えバー４５から構成される。複数の支えバー４５のうち、上部に位置する支えバー４５はヒンジにより折畳可能に構成されている。
【００４５】
前記のような構成に基づく動作は、次の通りである。
【００４６】
図２に示す取っ手２００は、乗馬時に体のバランスを取って落ちないようにするためのものであるが、また、手で前後に押引可能にも構成されている。取っ手２００の形態は横になった“Ｕ”字形であり、両手で把持することができる。
【００４７】
ユーザが取っ手２００を把持した状態で、体の中心を用いて取っ手２００を前方に押すと、前後ロッド５１の上端が前に傾きながら押され、前後ロッド５１の下端は後方に押される。前後ロッド５１と隣接した部位に取り付けられた連動ロッド５２の一端は取っ手２００に対して回動し、他端は鞍置き台１３に対して回動するように取り付けられている。したがって、前後ロッド５１が移動すると、連動ロッド５２も移動し、取っ手２００は水平に動く。
【００４８】
このような動きに従って、第１バー９１と第１ロッド６１と、第２ロッド６２と、第２ロッド６２と第３ロッド６３が関節として動き、このような動きによって垂直バー８３もその中心を基準に回動する。垂直バー８３の回動により下部バー８０も回動する（図１０参照）。
【００４９】
そして、ユーザが取っ手２００を前に押すと、前後ロッド５１の上端部が前方に移動し、これと連動する第１バー９１の下端は後方に移動する。第１バー９１の下端が後方に移動すると、垂直バー８３の動作により下部バー８０は前方に移動する。
【００５０】
また、ユーザが鞍１００に座った状態で体重を用いて鞍置き台１３を昇降させると、作動ロッド２３の動作により作動フレーム２１も回転中心（軸１９）を起点として回動する。このような昇降運動により引き起こされた回動は、揺動バー７１とクランクを介して連結される第２フライホイール９０ｂを回転させることができる。ユーザが取っ手２００を把持した状態で前後に重心を移動させると、第２フライホイール９０ｂは３６０゜以上回転する。このような回転力は慣性を有するため、第２フライホイール９０ｂは連続して回転し、仮に、ユーザが鞍１００にじっと座っている場合にも第２フライホイール９０ｂは回転しながら鞍１００を昇降させる。
【００５１】
次に、乗馬用運動器具１０のユーザの体重に応じた調整方法を説明する。
【００５２】
図４及び図５に示すように、本体フレーム１１の後方にはハンドル３７が取り付けられている。そして、図１３に示すように、ハンドル３７が位置する横には長孔が形成され、長孔から指示バー３９が突出しており、長孔に沿って体重に応じた目盛りが形成されている。
【００５３】
したがって、図１２に示すように、ユーザがハンドル３７を回転させると、ギアボックス３５に連結された回転ロッド３３と、これに連動する回動フレーム２９が昇降し、昇降する回動フレーム２９によりメインスプリング３１も昇降する。このように昇降する回動フレーム２９により指示バー３９も図１３に示すように目盛りに沿って昇降する。
【００５４】
即ち、ユーザがハンドル３７を回転させて自分の体重に合う位置に指示バー３９を配置すると、メインスプリング３１は、昇降して適当な位置で適切な弾性力を、特に作動フレーム２１に対し、与えることとなる。
【００５５】
また、図１及び図１４に示すように、足置き台４１は下部に傾斜して形成される傾斜フレーム４３と、傾斜フレーム４３に一定距離離隔して取り付けられる複数の支えバー４５とから構成され、図１４に示すように、複数の支えバー４５のうち、少なくとも１つ以上はヒンジにより折畳可能である。
【００５６】
したがって、ユーザは、当該ユーザの身長に応じて複数の支えバー４５のうちの適切な１つを用いて、容易に鞍１００に乗ったり降りたりすることができる。
【００５７】
前述した本発明に係る乗馬用運動器具１０は、ユーザが鞍１００に座った状態で体重を用いて鞍置き台１３を昇降させると、作動ロッド２３により作動フレーム２１も回転中心（軸１９）を起点として回動し、このような昇降により揺動バー７１とクランクにより連結される第２フライホイール９０ｂを回転させるように構成されている。
【００５８】
ユーザが鞍１００に座った状態で体重を利用しない場合、第２フライホイール９０ｂを自動で回転するように構成することによって、乗馬運動を行うことが可能である。
【００５９】
このために、第２フライホイール９０ｂとベルトにより連動する第１フライホイール９０ａを自動で回転させることにより、第２フライホイール９０ｂを自動で回転させることが可能である。
【００６０】
この際、第１フライホイール９０ａを自動で回転させるように構成するために、図１５及び図１６のように、乗馬用運動器具１０が、本体フレーム１１の下部に固定されるモータ１５０と、モータ１５０の軸と連結されて第１フライホイール９０ａを回転させるための第１フライホイール９０ａと結合される電動ベルト１６０をさらに備えるように構成することができる。
【００６１】
このように、本発明に係る一実施形態においては、ユーザが鞍１００に座った状態で体重を利用しない場合には、モータ１５０と電動ベルト１６０により第１フライホイール９０ａを回転させて第１フライホイール９０ａと連動する第２フライホイール９０ｂを回転させることによって、鞍１００を昇降させることができる。
【００６２】
ユーザは、モータ１５０を作動させて自動で乗馬運動をすることもでき、体重を用いて乗馬運動をする場合には、モータ１５０を停止させて手動で乗馬運動をすることもできる。
【００６３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６４】
１０    乗馬用運動器具
１１    本体フレーム
１３    鞍置き台
１５    昇降ロッド
１７    上部支持ブラケット
２１    作動フレーム
２３    作動ロッド
２７    コイルスプリング
２９    回動フレーム
３１    メインスプリング
３３    回転ロッド
３５    ギアボックス
３７    ハンドル
３９    指示バー
４１    足置き台
７７    ティーバー
８０    下部バー
８３    垂直バー
１００    鞍
２００    取っ手
【図１】
2016016327.tif 000003
【図２】
2016016327.tif 000004
【図３】
2016016327.tif 000005
【図４】
2016016327.tif 000006
【図５】
2016016327.tif 000007
【図６】
2016016327.tif 000008
【図７】
2016016327.tif 000009
【図８】
2016016327.tif 000010
【図９】
2016016327.tif 000011
【図１０】
2016016327.tif 000012
【図１１】
2016016327.tif 000013
【図１２】
2016016327.tif 000014
【図１３】
2016016327.tif 000015
【図１４】
2016016327.tif 000016
【図１５】
2016016327.tif 000017
【図１６】
2016016327.tif 000018